(57)【要約】【課題】配線パターンの自由度が高められる電源回路基板部を提供する。【解決手段】レーザプリンタ装置の筐体の一方の側面の側には、レーザスキャニングユニット等において発生した熱を排出するファンが配設されている。その一方の側面の側には、感光体や定着ユニット等へ所定の電力を供給するための電源回路基板部８がファンを覆うように配設されている。ファンを覆うファン配設領域には、空気を流通させるための複数の開口部９ａが設けられている。基板本体９に設けられる所定の各回路領域は、ファン配設領域の周囲にレイアウトされ、各回路領域のうち高圧回路領域１３と高圧出力端子領域１２とを接続するプリント配線１８の一部が、開口部９ａと開口部９ａとの間に位置する基板本体９の部分に沿って形成されている。【選択図】図４
2008060469.tif 000002
【特許請求の範囲】
【請求項１】
トナーを用紙に転写し、転写されたトナーを定着させることにより用紙に印画を行なう画像処理装置に適用される電源回路基板装置であって、
画像処理装置の筐体の一方の側面側に配設される基板本体と、
トナーを用紙に転写する部材および転写されたトナーを定着させる部材から発生する熱を排出するための前記筐体の前記一方の側面側の中央上部に配設されるファンの位置に基づいて、前記ファンを覆う前記基板本体の上部中央部に設けられるファン配設領域と、
前記筐体内の中央部から後方にかけて配設される前記トナーを用紙に転写する部材および前記転写されたトナーを定着させる部材の位置に基づいて、前記ファン配設領域の下方から後方にかけて前記ファン配設領域に沿って前記基板本体の部分に設けられ、前記トナーを用紙に転写する部材および前記転写されたトナーを定着させる部材に印加する所定の高電圧を出力する高圧出力端子領域と、
前記筐体内の後方側に配設される前記転写されたトナーを定着させる部材の位置に基づいて、前記高圧出力端子領域の後方側の前記基板本体の部分に設けられ、転写されたトナーを所定の温度のもとで定着させるための所定の電圧を発生させるヒータ回路領域と、
前記ファン配設領域に対して前方側の前記基板本体の部分に設けられ、前記ファンの動作を制御するファン制御回路領域と、
前記高圧出力端子領域の下方の前記基板本体の部分に配設され、画像処理装置の制御を行なうための所定の電圧を発生させる電源回路領域と、
前記ファン制御回路領域の下方の前記基板本体の部分に、前記高圧出力端子領域および前記電源回路領域と隣接するように設けられ、前記高圧出力端子領域と電気的に接続されて前記トナーを用紙に転写する部材および前記転写されたトナーを定着させる部材に印加する所定の高電圧を発生させる高圧回路領域と、
前記ファン配設領域に位置する前記基板本体の部分に形成され、前記ファンによる空気を流通するために間隔を隔てて形成された複数の開口部と、
複数の前記開口部のうち、互いに隣接する２つの開口部の間に位置する前記基板本体の一の部分に形成され、前記高圧回路領域と前記高圧出力端子領域とを電気的に接続する配線パターンと、
複数の前記開口部のうち、互いに隣接する２つの開口部の間に位置する前記基板本体の他の部分に配設され、前記高圧回路領域と電気的に接続されたパワートランジスタと
を備えた、電源回路基板装置。
【請求項２】
トナーを用紙に転写し、転写されたトナーを定着させることにより用紙に印画を行なう画像処理装置に適用される電源回路基板装置であって、
画像処理装置の筐体の一方の側面側に配設される基板本体と、
前記筐体内の熱を排出するための前記筐体の前記一方の側面側に配設されるファンの位置に基づいて、前記ファンを覆うように配設される前記基板本体に設けられるファン配設領域と、
前記筐体内にそれぞれ配設されるトナーを用紙に転写する部材および転写されたトナーを定着させる部材の位置に基づいて前記基板本体における所定の位置にそれぞれ設けられ、それぞれ画像処理装置を動作させるための所定の機能を有する複数の回路領域と、
前記ファン配設領域における前記基板本体の部分に形成され、前記ファンによる空気を流通するための複数の開口部と
を備え、
複数の前記開口部における一の開口部と他の開口部との間に位置する前記基板本体の部分には、複数の前記回路領域における一の回路領域と他の回路領域とを接続する配線パターンが形成された、電源回路基板装置。
【請求項３】
所定の前記回路領域は、
前記トナーを用紙に転写する部材に印加する所定の高電圧を発生させるための高圧回路領域と、
前記高圧回路領域において発生した高電圧を出力する高圧出力端子領域と
を含み、
前記高圧出力端子領域は、前記トナーを用紙に転写する部材および前記転写されたトナーを定着させる部材の位置に基づいて前記ファン配設領域の下方から後方にかけて前記ファン配設領域に沿って前記基板本体の部分に設けられ、
前記配線パターンは、前記高圧回路領域と前記高圧出力端子領域とを接続する配線パターンを含む、請求項２記載の電源回路基板装置。
【請求項４】
前記一の開口部と前記他の開口部との間に位置する前記基板本体の部分に取付けられたパワートランジスタを含み、
前記配線パターンは、前記高圧回路領域と前記パワートランジスタとを接続する他の配線パターンを含む、請求項２または３に記載の電源回路基板装置。
【請求項５】
前記複数の回路領域を構成する部品は前記基板本体の表面側に配設され、
前記配線パターンは前記基板本体の裏面側に形成された、請求項２〜４のいずれかに記載の電源回路基板装置。
【発明の詳細な説明】
【技術分野】
【０００１】
本発明は電源回路基板装置に関し、特に、レーザプリンタ装置等に使用される電源回路基板装置に関するものである。
【背景技術】
【０００２】
プリンタ装置の一形態にレーザプリンタ装置がある。図６に示すように、レーザプリンタ装置１０１の筐体１０２内では、レーザプリンタ装置１０１の給紙口１２１から給紙される所定の用紙１３０が感光体１０３を通過する際に、ベース部材１０６に載置されたレーザスキャニングユニット１０７により画像信号に基づいた所定のレーザ光線をその感光体１０３に照射することによって、その用紙１３０にトナーが転写される。
【０００３】
そのレーザスキャニングユニット１０７では、所定のレーザ光線を感光体１０３に照射するために、内装されているポリゴンミラー（図示せず）がポリゴンモータ（図示せず）によって回転される。そのため、レーザスキャニングユニット１０７は、このポリゴンモータの回転によって熱を発する。
【０００４】
トナーはカートリッジ１０４から供給される。トナーが転写された用紙１３０は、定着ユニット１０５において温度約２００℃程度のもとで定着処理が施され、定着処理が施された用紙１３０は排紙口１２２から排紙される。この一連の印刷動作において、感光体１０３とトナーを帯電させてトナーを用紙１３０に転写するために、感光体１０３とトナーカートリッジ１０４にはそれぞれ所定の電力（高電圧）が供給される。
【０００５】
レーザプリンタ装置１０１では、そのような感光体１０３やトナーカートリッジ１０４を含め、レーザプリンタ装置１０１の各部へ所定の電力を供給するための電源回路基板部１０８が配設されている。図７に示すように、電源回路基板部１０８は、一連の印刷動作における用紙１３０の動きを阻害せず、しかも、所定の電力を供給する回路を形成するための領域を確保するため、レーザプリンタ装置１０１における一方の側面の側に配設されている。
【０００６】
また、この一方の側面の側には、定着ユニット１０５やレーザスキャニングユニット１０７等において発生する熱を、レーザプリンタ装置１０１の外部へ排出するファン１２０が取付けられている。このファン１２０は、熱を効率よく排出するためにレーザスキャニングユニット１０１を載置した枠体の一方の端部側に取付けられる。そのため、電源回路基板部１０８の基板本体１０９には、配設されたファン１２０と緩衝しないように切欠き１０９ａが設けられている。この切欠き１０９ａは、ファン１２０の位置との関係で電源回路基板部１０８におけるレーザプリンタ装置１０１０の奥行き方向略中央の上部に設けられている。
【０００７】
図８に示すように、電源回路基板部１０８の基板本体１０９に設けられる所定の各回路領域１１７は、この切欠き１０９ａを避けてレイアウトされることになる。その所定の回路領域１１７として、電源回路領域１１１、高圧回路領域１１３、高圧出力端子領域１１２、ヒータ回路領域１１４、ファン制御回路領域１１５等が設けられる。
【０００８】
高圧出力端子領域１１２では、複数の高圧出力端子が間隔を隔てて設けられる。その各高圧出力端子にはそれぞれ所定の高電圧が印加されるため、隣り合う高圧出力端子同士の間隔をある程度確保しておく必要がある。また、この高圧出力端子領域１１２は、感光体１０３とトナーカートリッジ１０４に所定の高電圧を確実に印加するために、感光体１０３とトナーカートリッジ１０４に接近した位置に設けることが望ましい。そのため、高圧出力端子領域１１２は、電源回路基板部１０８におけるファン１２０の直下に位置する領域に設けられている。すなわち、高圧出力端子領域１１２は、電源回路基板部１０８の切欠き１０９ａの下側（湾状の奥）に位置する端縁に沿って設けられている。
【０００９】
また、同様の理由により、定着ユニット１０５の一方の側方に位置する、電源回路基板部１０８の切欠き１０９ａに対して後方側（紙面に向って右側）の領域には、その定着ユニット１０５のヒータに所定の電力を供給するヒータ回路領域１１４が設けられている。電源回路領域１１１は、その高圧出力端子領域１１２およびヒータ回路領域１１４の下方の基板本体１０９の領域に設けられている。
【００１０】
一方、電源回路基板部１０８の切欠き１０９ａに対して前方側（紙面に向って左側）の領域には、ファン１２０の駆動を制御するファン制御回路領域１１５が設けられている。そして、そのファン制御回路領域１１５および電源回路領域１１１と隣接するように、高圧回路領域１１３が設けられている。高圧回路領域１１３と高圧出力端子領域１１２とは、電源回路基板部１０８の基板本体１０９の裏面側に形成されたプリント配線（図示せず）によって電気的に接続される。
【００１１】
従来のレーザプリンタ装置１０１に使用される電源回路基板部１０８は上記のように構成される。なお、一般的な基板部と冷却用のファンについて開示した文献としては、たとえば特許文献１〜４がある。
【特許文献１】特開２００１−２７４３０６号公報
【特許文献２】特開平６−１７７５６７号公報
【特許文献３】特開２００６−１００４８３号公報
【特許文献４】特開平４−９１５００号公報
【発明の開示】
【発明が解決しようとする課題】
【００１２】
しかしながら、従来のレーザープリンタ装置１０１に使用される電源回路基板部１０８では、次のような問題点があった。
【００１３】
上述したように、電源回路基板部１０８の各回路領域１１７は、レーザプリンタ装置１０１のファン１２０、定着ユニット１０５、感光体１０３およびトナーカートリッジ１０４等の位置との関係でそれぞれ所定の位置（領域）に設けられる。その回路領域１１７のうち、特に、高圧出力端子領域１１２では、各高圧出力端子にそれぞれ所定の高電圧が印加されるため、隣り合う高圧出力端子同士の間隔をある程度確しておく必要がある。そのため、十分な間隔を確保しようとして高圧出力端子領域１１２を広げようとすると、他の電源回路領域１１１等との関係で、高圧回路領域１１３と高圧出力端子領域１１２とを接続するプリント配線を形成するための領域を確保することが難しく、配線パターンの設計が困難になる問題があった。
【００１４】
本発明は上記問題点を解決するためになされたものであり、その目的は、配線パターンの自由度が高められる電源回路基板部を提供することである。
【課題を解決するための手段】
【００１５】
本発明に係る電源回路基板装置は、トナーを用紙に転写し、転写されたトナーを定着させることにより用紙に印画を行なう画像処理装置に適用される電源回路基板装置であって、基板本体とファン配設領域と高圧出力端子領域とヒータ回路領域とファン制御回路と電源回路領域と高圧回路領域と複数の開口部と配線パターンとパワートランジスタとを備えている。基板本体は、画像処理装置の筐体の一方の側面側に配設されている。ファン配設領域は、トナーを用紙に転写する部材および転写されたトナーを定着させる部材から発生する熱を排出するための筐体の一方の側面側の中央上部に配設されるファンの位置に基づいて、ファンを覆う基板本体の上部中央部に設けられている。高圧出力端子領域は、筐体内の中央部から後方にかけて配設されるトナーを用紙に転写する部材および転写されたトナーを定着させる部材の位置に基づいて、ファン配設領域の下方から後方にかけてファン配設領域に沿って基板本体の部分に設けられ、トナーを用紙に転写する部材および転写されたトナーを定着させる部材に印加する所定の高電圧を出力する。ヒータ回路領域は、筐体内の後方側に配設される転写されたトナーを定着させる部材の位置に基づいて、高圧出力端子領域の後方側の基板本体の部分に設けられ、転写されたトナーを所定の温度のもとで定着させるための所定の電圧を発生させる。ファン制御回路領域は、ファン配設領域に対して前方側の基板本体の部分に設けられ、ファンの動作を制御する。電源回路領域は、高圧出力端子領域の下方の基板本体の部分に配設され、画像処理装置の制御を行なうための所定の電圧を発生させる。高圧回路領域は、ファン制御回路領域の下方の基板本体の部分に、高圧出力端子領域および電源回路領域と隣接するように設けられ、高圧出力端子領域と電気的に接続されてトナーを用紙に転写する部材および転写されたトナーを定着させる部材に印加する所定の高電圧を発生させる。複数の開口部は、ファン配設領域に位置する基板本体の部分に形成され、ファンによる空気を流通するために間隔を隔てて形成されている。配線パターンは、複数の開口部のうち、互いに隣接する２つの開口部の間に位置する基板本体の一の部分に形成され、高圧回路領域と高圧出力端子領域とを電気的に接続している。パワートランジスタは複数の開口部のうち、互いに隣接する２つの開口部の間に位置する基板本体の他の部分に配設され、高圧回路領域と電気的に接続されている。
【００１６】
この構成によれば、画像処理装置の筐体内に配設されるトナーを用紙に転写する部材および転写されたトナーを定着させる部材の位置との関係で、高圧出力端子領域および高圧領域等をそれぞれ基板本体の所定の位置に設けなければならないところ、筐体内の熱を排出するファンを覆うファン配設領域の基板本体の部分に空気を流通させる複数の開口部が形成されている。これにより、従来、ファンが配設される位置では基板本体に切欠きが設けられていたために、高圧回路領域と高圧出力端子領域とを接続するプリント配線のパターンが他の回路領域の関係で制約を受けてしまい、高圧出力端子領域を基板本体における限られた領域にしか設けることができなかったのに対して、高圧回路領域と高圧出力端子領域とを接続するプリント配線の一部を、開口部と開口部との間に位置する基板本体の部分に沿って形成することができて、プリント配線のパターンの自由度を高めることができる。その結果、高圧出力端子領域を拡大させて、各高圧出力端子間の間隔を十分に確保することができるとともに、その高圧出力端子を定着ユニット等へ接近させてより確実な電気的な接続を図ることができる。また、比較的発熱量の多いパワートランジスタを、開口部と開口部との間に位置する基板本体の部分に取付けることによって、開口部を流れる空気によってそのパワートランジスタを冷却することができる。これにより、従来、パワートランジスタを冷却するために放熱板が必要であったのに対して、そのような放熱板が不要になり、電源回路基板部の小型化も図ることができる。
【００１７】
本発明に係る電源回路基板装置は、トナーを用紙に転写し、転写されたトナーを定着させることにより用紙に印画を行なう画像処理装置に適用される電源回路基板装置であって、
基板本体とファン配設領域と複数の回路領域と複数の開口部とを備えている。基板本体は画像処理装置の筐体の一方の側面側に配設されている。ファン配設領域は、筐体内の熱を排出するための筐体の一方の側面側に配設されるファンの位置に基づいて、ファンを覆う基板本体に設けられている。複数の回路領域は、筐体内にそれぞれ配設されるトナーを用紙に転写する部材および転写されたトナーを定着させる部材の位置に基づいて基板本体における所定の位置にそれぞれ設けられ、それぞれ画像処理装置を動作させるための所定の機能を有している。複数の開口部は、ファン配設領域における基板本体の部分に形成され、ファンによる空気を流通する。複数の開口部における一の開口部と他の開口部との間に位置する基板本体の部分には、複数の回路領域における一の回路領域と他の回路領域とを接続する配線パターンが形成されている。
【００１８】
この構成によれば、画像処理装置の筐体内に配設されるトナーを用紙に転写する部材および転写されたトナーを定着させる部材の位置との関係で、複数の回路領域をそれぞれ基板本体の所定の位置に設けなければならないところ、筐体内の熱を排出するファンを覆うファン配設領域の基板本体の部分に空気を流通させる複数の開口部が形成されている。これにより、従来、ファンが配設される位置では基板本体に切欠きが設けられていたために、複数の回路領域のうち特定の回路領域間を接続するプリント配線のパターンが他の回路領域の関係で制約を受けてしまい、特定の回路領域を基板本体における限られた領域にしか設けることができなかったのに対して、プリント配線の一部を、開口部と開口部との間に位置する基板本体の部分に沿って形成することができることによって、プリント配線のパターンの自由度を高めることができる。
【００１９】
その所定の回路領域は、トナーを用紙に転写する部材に印加する所定の高電圧を発生させるための高圧回路領域と、高圧回路領域において発生した高電圧を出力する高圧出力端子領域とを含み、高圧出力端子領域は、トナーを用紙に転写する部材および転写されたトナーを定着させる部材の位置に基づいてファン配設領域の下方から後方にかけてファン配設領域に沿って基板本体の部分に設けられ、配線パターンは、高圧回路領域と高圧出力端子領域とを接続する配線パターンを含むことが好ましい。
【００２０】
これにより、高圧出力端子領域を拡大させて、各高圧出力端子間の間隔を十分に確保することができるとともに、その高圧出力端子をトナーを定着させる部材等へ接近させてより確実な電気的な接続を図ることができる。
【００２１】
また、一の開口部と他の開口部との間に位置する基板本体の部分に取付けられたパワートランジスタを含み、配線パターンは、高圧回路領域とパワートランジスタとを接続する他の配線パターンを含むことが好ましい。
【００２２】
これにより、開口部を流れる空気によってそのパワートランジスタを冷却することができて、従来、パワートランジスタを冷却するために放熱板が必要であったのに対して、そのような放熱板が不要になり、電源回路基板部の小型化も図ることができる。
【００２３】
複数の回路領域を構成する部品は基板本体の表面側に配設され、配線パターンは基板本体の裏面側に形成されていることが好ましい。
【発明を実施するための最良の形態】
【００２４】
本発明の実施の形態に係る電源回路基板部として、レーザプリンタ装置に適用される電源回路基板部について説明する。
【００２５】
図１および図２に示すように、レーザプリンタ装置１では、筐体２内において一方向（用紙３０の幅方向）に延在する所定のベース部材６が配設され、そのベース部材６の下方には、所定の用紙３０に画像を印刷するためのトナーを転写する感光体３が配設されている。また、その感光体３と対向するように、トナーを供給するトナーカートリッジ４が配設されている。
【００２６】
感光体３の上方には、用紙３０に転写されたトナーを定着するための定着ユニット５がベース部材６と並ぶように配設されている。そして、ベース部材６には、所定の画像信号に基づいてレーザ光線を感光体３に照射するレーザスキャニングユニット７が載置されている。そのレーザスキャニングユニット７には、画像信号に基づいたレーザ光線を感光体３に照射させるために、所定のポリゴンミラー（図示せず）とそのポリゴンミラーを回転させるためのポリゴンモータ（図示せず）が内装されている。
【００２７】
ベース部材６の一方向の一方の端部側、すなわち、レーザプリンタ装置１の筐体２の一方の側面の側には、レーザスキャニングユニット７や定着ユニット５等において発生した熱を、レーザプリンタ装置１の外部へ排出するファン２０が配設されている。その一方の側面の側には、感光体３やトナーカートリッジ４を含め、レーザプリンタ装置１の各部へ所定の電力を供給するための電源回路基板部８が配設されている。電源回路基板部８は、一連の印刷動作における用紙３０の動きを阻害せず、しかも、所定の電力を供給するための所定の回路領域を確保するために、この側面の側に配設されている。
【００２８】
次に、その電源回路基板部８について説明する。図２に示すように、電源回路基板部８は、配設されたファン２０を外側から覆うように配設されている。ファン２０を覆う部分、すなわち、電源回路基板部８における奥行き方向中央の上部の基板本体９のファン配設領域１０には、空気を流通させるための複数の開口部９ａが設けられている。この複数の開口部９ａは、レーザプリンタ装置１の奥行き方向に延在する略矩形状の開口部として、上下方向に間隔を隔ててそれぞれ形成されている。
【００２９】
図３に示すように、電源回路基板部８の基板本体９に設けられる所定の各回路領域１７は、このファン配設領域１０の周囲にレイアウトされている。その所定の回路領域１７として、電源回路領域１１、高圧回路領域１３、高圧出力端子領域１２、ヒータ回路領域１４、ファン制御回路領域１５等が設けられる。
【００３０】
電源回路基板部８の高圧出力端子領域１２では、複数の高圧出力端子が設けられる。その各高圧出力端子１２ａ（図４参照）にはそれぞれ所定の高電圧が印加されるため、隣り合う高圧出力端子同士の間隔をある程度確保しておく必要がある。また、この高圧出力端子領域１２は、感光体３とトナーカートリッジ４に所定の高電圧を確実に印加するために、感光体３とトナーカートリッジ４に接近した位置に設けることが望ましく、感光体３とトナーカートリッジ４の一方の側方に位置する、電源回路基板部８の部分に設けられる。この場合、高圧出力端子領域１２は、ファン配設領域１０に対してその直下の領域から奥行き方向後方側（紙面に向って右側）の基板本体９の領域にかけて、ファン配設領域１０に沿って設けられている。
【００３１】
また、同様の理由により、定着ユニット５のヒータに所定の電力を供給するヒータ回路領域１４は、定着ユニット５の一方の側方に位置する、基板本体９の部分に設けられる。この場合、ヒータ回路領域１４は、高圧出力端子領域１２に対して奥行き方向後方側（紙面に向って右側）の領域に設けられている。
【００３２】
高圧出力端子領域１２およびヒータ回路領域１４の直下の、基板本体９における奥行き方向中央の下部から後方（紙面に向って右側）にかけて、レーザプリンタ装置１を制御する制御ユニット（図示せず）へ所定の電力を供給するための電源回路領域１１が設けられている。ファン配設領域１０に対して、奥行き方向前方側（紙面に向って左側）の基板本体９の領域には、ファン２０の駆動を制御するファン制御回路領域１５が設けられている。電源回路領域１１および高圧出力端子領域１２に対し、奥行き方向前方側（紙面に向って左側）の基板本体９の領域には、高圧回路領域１３が設けられている。
【００３３】
各回路領域１７を構成する部品（図示せず）は、基板本体９における外側に位置する主表面に配設され、その各部品を電気的に接続する配線（図示せず）は、プリント配線として基板本体９における内側に位置する主表面に形成されている。図４に示すように、そのプリント配線のうち、特に、高圧回路領域１３と高圧出力端子領域１２とを接続するプリント配線１８の一部は、開口部９ａと開口部９ａとの間に位置する基板本体９の部分に沿って形成されている。
【００３４】
また、開口部９ａと開口部９ａとの間に位置する基板本体９の部分には、一つの部品としてパワートランジスター１６が取付けられて、プリント配線１９によって高圧回路領域１３と電気的に接続されている。本実施の形態に係る電源回路基板部８は上記のように構成される。
【００３５】
上述したレーザプリンタ装置１の電源回路基板部８では、レーザプリンタ装置１の筐体１内に配設されるレーザスキャニングユニット７、トナーカートリッジ４、感光体３、定着ユニット５の位置との関係で、各回路領域１７をそれぞれ基板本体９の所定の位置に設けなければならないところ、ファン２０を覆うように基板本体９が配設されて、そのファン２０を覆うファン配設領域１０の基板本体９の部分に空気を流通させる複数の開口部９ａが形成されている。
【００３６】
これにより、従来、ファン１２０が配設される位置では基板本体１０９に切欠き１０９ａが設けられていたために、特に、高圧回路領域１１３と高圧出力端子領域１１２とを接続するプリント配線のパターンが他の回路領域１１７の関係で制約を受けてしまい、高圧出力端子領域１１２を基板本体１０９における限られた領域にしか設けることができなかった（図７、図８を参照）のに対して、高圧回路領域１３と高圧出力端子領域１２とを接続するプリント配線１８の一部を、開口部９ａと開口部９ａとの間に位置する基板本体９の部分に沿って形成することができて、プリント配線のパターンの自由度を高めることができる。その結果、高圧出力端子領域１２を拡大させて、各高圧出力端子１２ａ間の間隔Ｗを十分に確保することができるとともに、その高圧出力端子１２ａを定着ユニット５等へ接近させてより確実な電気的な接続を図ることができる。
【００３７】
また、図５に示すように、比較的発熱量の多いパワートランジスタ１６を、開口部９ａと開口部９ａとの間に位置する基板本体９の部分に取付けることによって、開口部９ａを流れる空気によってそのパワートランジスタ１６を冷却することができる。これにより、従来、パワートランジスタを冷却するために放熱板が必要であったのに対して、そのような放熱板が不要になり、電源回路基板部８の小型化も図ることができる。
【００３８】
なお、上述した電源回路基板部８は、レーザプリンタ装置１に適用されるものを例に挙げて説明した。電源回路基板部８としては、この他に、トナーを用紙に転写し、その転写されたトナーを定着することによって用紙に印画を行なう画像処理装置として、たとえばコピー機等へも適用することが可能である。また、配線パターンとしてのプリント配線は、高圧回路領域１３と高圧出力端子領域１２とを接続するプリント配線以外の他の回路領域同士を接続するプリント配線にも適用することができる。
【００３９】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００４０】
【図１】本発明の実施の形態に係る電源回路基板装置が適用されるレーザプリンタ装置を示す斜視図である。
【図２】同実施の形態において、レーザプリンタ装置における電源回路基板装置の配設位置を示す斜視図である。
【図３】同実施の形態において、電源回路基板装置における各回路領域の配置関係を示す平面図である。
【図４】同実施の形態において、電源回路基板装置における開口部付近を示す部分拡大平面図である。
【図５】同実施の形態において、電源回路基板装置に取付けられたパワートランジスタとその周辺を示す部分拡大斜視図である。
【図６】従来の電源回路基板装置が適用されるレーザプリンタ装置を示す斜視図である。
【図７】図６に示すレーザプリンタ装置における電源回路基板装置の配設位置を示す斜視図である。
【図８】図７に示す電源回路基板装置における各回路領域の配置関係を示す平面図である。
【符号の説明】
【００４１】
１  レーザプリンタ装置、２  筐体、３  感光体、４  トナーカートリッジ、５  定着ユニット、６  ベース部材、７  レーザスキャニングユニット、８  電源回路基板部、９  基板本体、９ａ  開口部、１０  ファン配設領域、１１  電源回路領域、１２  高圧出力端子領域、１３  高圧回路領域、１４  ヒータ回路領域、１５  ファン制御回路、１６  パワートランジスタ、１７  回路領域、１８，１９  プリント配線、２０  ファン、２１  給紙口、２２  排紙口、３０  用紙。
【図１】
2008060469.tif 000003
【図２】
2008060469.tif 000004
【図３】
2008060469.tif 000005
【図４】
2008060469.tif 000006
【図５】
2008060469.tif 000007
【図６】
2008060469.tif 000008
【図７】
2008060469.tif 000009
【図８】
2008060469.tif 000010